(57)【要約】【課題】隣り合う導光部から漏れる光が混合することが抑制され、表示品位が良好であり、導光部がセンサに光を導く場合にセンサの検出精度が良好であり、しかも複数の導光部が一体化されている表示装置、及び該表示装置を備えるＴＶ受信機を提供する。【解決手段】ＴＶ受信機のミドルキャビネット７は、表示部の下側に配される飾り部を有する。飾り部はインジケータ部７０を有し、インジケータ部７０には遮光板７７，７８，７９，８０が設けられている。導光体８は、ＴＶ受信機の内部から発する光を導光する第１導光部９３、第２導光部９４、及び第３導光部８３と、外部光を導光する第４導光部８４と、隣り合う２つの導光部を接続する第１接続部８７，第２接続部８８，第３接続部８９とを有する。各接続部の一部が遮光体７７，７８，７９，８０に嵌合し、又は係止する状態で、導光体８がインジケータ部７０に取り付けられている。【選択図】図１２
2016208473.tif 000002
【特許請求の範囲】
【請求項１】
前側に表示面を有する表示部と、２以上の導光部とを備える表示装置において、
隣り合う２つの導光部間に介在する遮光体と、
一部が前記遮光体に嵌合し、又は該遮光体に係止する状態で、前記隣り合う２つの導光部を接続する接続部と
を備えることを特徴とする表示装置。
【請求項２】
前記表示部の一側面に沿って配される飾り板部を備え、
前記導光部は、基板部、及び該基板部に貫通させた導光柱状体を有し、
前記遮光体は前記飾り板部に設けられ、
前記飾り板部は、
前記導光柱状体の端面が嵌合される嵌合孔と、
前記嵌合孔の周縁に沿うように設けられた突起部と
を有し、
前記基板部は前記導光柱状体の周縁に、前記突起部を挿通する挿通孔を有することを特徴とする請求項１に記載の表示装置。
【請求項３】
前記表示部の一側面に沿って配される飾り板部を備え、前記導光部は角板状をなし、
前記遮光体は前記飾り板部に設けられ、
前記飾り板部は、前記導光部が嵌合される嵌合孔を有することを特徴とする請求項１又は２に記載の表示装置。
【請求項４】
前記接続部は、前記隣り合う２つの導光部に対し略垂直に設けられた脚部と、各脚部を連結する連結部とを有し、
前記連結部が前記遮光体に嵌合し、又は該遮光体に係止されることを特徴とする請求項１から３までのいずれか１項に記載の表示装置。
【請求項５】
前記脚部にシボ加工を施してあることを特徴とする請求項４に記載の表示装置。
【請求項６】
請求項１から５までのいずれか１項に記載の表示装置と、
テレビジョン放送を受信する受信部と
を備え、
前記受信部にて受信したテレビジョン放送に基づいて、前記表示装置に映像を表示するようにしてあることを特徴とするテレビジョン受信機。
【発明の詳細な説明】
【技術分野】
【０００１】
本発明は、前側に表示面を有する表示部と、内部又は外部からの光を外部又は内部に導く複数の導光部を備える表示装置、並びに該表示装置を備えるテレビジョン受信機に関する。
【背景技術】
【０００２】
液晶表示装置を備える液晶テレビジョン受信機等のテレビジョン受信機（以下、ＴＶ受信機という）は、例えば、前側で映像を表示する表示パネル，及び表示パネルの後側に光を照射するバックライトユニットを有する表示部と、表示部の前面の周縁部及び側部を覆うベゼルと、表示部の背面を覆うリアキャビネットと、表示部の側部を覆うとともに、表示部の下側に配される飾り部を有するミドルキャビネットと、スタンドとを備える。表示部は、全体として横長の略直方体状をなし、縦姿勢でベゼル及びリアキャビネットに収容されている。
【０００３】
ミドルキャビネットの飾り部の裏側には明るさセンサが配され、飾り部には、ＴＶ受信機の外部の光を明るさセンサの受光素子に導くための導光部が設けられている。明るさセンサの検出照度に応じてバックライトユニットの発光が制御される。
飾り部の裏側には赤外線センサも配され、飾り部には、リモコン等の赤外線信号を赤外線センサに導くための導光部が設けられている。
飾り部にはさらに、ＬＥＤ基板、及びがＬＥＤから発された光を導光する導光部が設けられており、発光により、電源のオン／オフ、表示モード、ＴＶ受信機のブランド等がユーザに報知されるように構成されている。
【０００４】
部品点数を減じるために、上述の複数の導光部は一体化されることが好ましい。
特許文献１には、板状のベース部と、明るさセンサに光を導く複合型導光部と、赤外線センサに光を導く赤外線受光用導光部とを備える導光部材の発明が開示されている。ベース部の、複合型導光部と赤外線受光用導光部との境界部分にはスリットが設けられ、導光部材の位置決め及び固定に用いられている。
【先行技術文献】
【特許文献】
【０００５】
【特許文献１】特開２０１４−１１５２７９号公報
【発明の概要】
【発明が解決しようとする課題】
【０００６】
特許文献１等の導光部材は近年、縮小化されており、隣り合う導光部が近接し、導光部から漏れた光が混合し、表示品位が悪くなり、またセンサの検出精度が悪くなるという問題があった。
【０００７】
本発明は斯かる事情に鑑みてなされたものであり、隣り合う導光部から漏れる光が混合することが抑制され、表示品位が良好であり、導光部がセンサに光を導く場合にセンサの検出精度が良好であり、しかも複数の導光部が一体化されている表示装置、及び該表示装置を備えるＴＶ受信機を提供することを目的とする。
【課題を解決するための手段】
【０００８】
本発明に係る表示装置は、前側に表示面を有する表示部と、２以上の導光部とを備える表示装置において、隣り合う２つの導光部間に介在する遮光体と、一部が前記遮光体に嵌合し、又は該遮光体に係止する状態で、前記隣り合う２つの導光部を接続する接続部とを備えることを特徴とする。
【０００９】
本発明に係る表示装置は、前記表示部の一側面に沿って配される飾り板部を備え、前記導光部は、基板部、及び該基板部に貫通させた導光柱状体を有し、前記遮光体は前記飾り板部に設けられ、前記飾り板部は、前記導光柱状体の端面が嵌合される嵌合孔と、前記嵌合孔の周縁に沿うように設けられた突起部とを有し、前記基板部は前記導光柱状体の周縁に、前記突起部を挿通する挿通孔を有することを特徴とする。
【００１０】
本発明に係る表示装置は、前記表示部の一側面に沿って配される飾り板部を備え、前記導光部は角板状をなし、前記遮光体は前記飾り板部に設けられ、前記飾り板部は、前記導光部が嵌合される嵌合孔を有することを特徴とする。
【００１１】
本発明に係る表示装置は、前記接続部は、前記隣り合う２つの導光部に対し略垂直に設けられた脚部と、各脚部を連結する連結部とを有し、前記連結部が前記遮光体に嵌合し、又は該遮光体に係止されることを特徴とする。
【００１２】
本発明に係る表示装置は、前記脚部にシボ加工を施してあることを特徴とする。
【００１３】
本発明に係るテレビジョン受信機は、上述のいずれかの表示装置と、テレビジョン放送を受信する受信部とを備え、前記受信部にて受信したテレビジョン放送に基づいて、前記表示装置に映像を表示するようにしてあることを特徴とする。
【発明の効果】
【００１４】
本発明の表示装置によれば、隣り合う２つの導光部間に介在する遮光体と、一部が遮光体に嵌合し、又は遮光体に係止する状態で、隣り合う２つの導光部を接続する接続部とを備えるので、隣り合う導光部から漏れる光が混合することが抑制され、表示品位が良好であり、導光部がセンサに光を導く場合においてはセンサの検出精度が良好であり、しかも複数の導光部が一体化され得る。
【図面の簡単な説明】
【００１５】
【図１】実施の形態１に係るＴＶ受信機の外観斜視図である。
【図２】前記ＴＶ受信機の正面図である。
【図３】前記ＴＶ受信機の分解斜視図である。
【図４】前記ＴＶ受信機の下部の縦断面図である。
【図５】実施の形態１に係るミドルキャビネットの斜視図である。
【図６】前記ミドルキャビネットの飾り部のインジケータ部を裏側から見た状態を示す斜視図である。
【図７】実施の形態１に係る導光体を示す正面図である。
【図８】前記導光体を示す裏面図である。
【図９】前記導光体を裏側から見た状態を示す斜視図である。
【図１０】前記導光体を示す側面図である。
【図１１】実施の形態１に係るＬＥＤ基板を裏側から見た状態を示す斜視図である。
【図１２】前記導光体をインジケータ部に嵌合した状態を示す斜視図である。
【図１３】前記ＬＥＤ基板をインジケータ部に取り付けた状態を示す斜視図である。
【図１４】前記ＬＥＤ基板をインジケータ部に取り付けた状態を示す裏面図である。
【図１５】図１４のXV−XV線断面図である。
【図１６】実施の形態２に係るＴＶ受信機のミドルキャビネットのインジケータ部を示す斜視図である。
【図１７】実施の形態２に係る導光体を示す正面図である。
【図１８】実施の形態３に係るＴＶ受信機の導光体を示す斜視図である。
【図１９】実施の形態４に係る導光体を示す斜視図である。
【図２０】実施の形態４に係る導光体をインジケータ部に取り付けた状態を示す斜視図である。
【図２１】実施の形態５に係る導光体を示す斜視図である。
【図２２】実施の形態５に係る導光体をインジケータ部に取り付けた状態を示す斜視図である。
【発明を実施するための形態】
【００１６】
以下、本発明をその実施の形態を示す図面に基づいて具体的に説明する。
実施の形態１．
図１は本発明の実施の形態１に係るＴＶ受信機１００の外観斜視図、図２はＴＶ受信機１００の正面図、図３はＴＶ受信機１００の分解斜視図、図４はＴＶ受信機１００の下部の縦断面図、図５はミドルキャビネット７の斜視図である。図２においてスタンド１７は省略している。
【００１７】
ＴＶ受信機１００は、表示パネル１を有する表示部１８と、表示部１８の正面の周縁部及び側部を覆うベゼル２と、表示部１８の背面を覆うリアキャビネット１０と、表示部１８の側部を覆うとともに表示部１８の下側に配される後述の飾り部７ｃを有するミドルキャビネット７と、アンテナ（不図示）から放送波を受信するチューナ１５と、符号化された放送波を復号するデコーダ１６と、スタンド１７とを備える。
【００１８】
表示部１８は、全体として横長の略直方体状をなし、縦姿勢でベゼル２、ミドルキャビネット７、及びリアキャビネット１０内に収容されている。ベゼル２は矩形枠状をなし、リアキャビネット１０は箱状をなしている。リアキャビネット１０には、複数の放熱スリット１０ａが設けられている。
スタンド１７は、基板部と、基板部に垂直に設けられた支持軸とを備える。表示部１８、ミドルキャビネット７、及びリアキャビネット１０は、互いにネジ等によって一体に結合されている。
【００１９】
図３及び図４に示すように、表示部１８は、表示パネル１と、ベゼル２と、例えば３枚の光学シート３と、ミドルシャーシ４と、導光板５と、ＬＥＤ基板１１と、ヒートスプレッダ１２と、ＢＬ（バックライト）シャーシ６とを備える。
【００２０】
表示パネル１は、カラーフィルタ基板と、液晶層と、ＴＦＴ基板と、２枚の偏光板とを有する。カラーフィルタ基板とＴＦＴ基板とはシール材を挟んで互いに貼り合わされており、その間に液晶層が注入されている。
【００２１】
表示パネル１の後側に、後方から入射される光を通過、拡散及び集光させるための複数、例えば３枚の光学シート３が重ねて配置されている。
光学シート３の後側には、厚みが薄い直方体状をなす導光板５が配置されている。
【００２２】
導光板５の下側の長側面に対向する位置にはＬＥＤ基板１１が配置されている。ＬＥＤ基板１１は、矩形状をなす基板に複数のＬＥＤ（発光ダイオード）を並設してなる。ＬＥＤ基板１１のＬＥＤは、導光板５の長側面へ光を入射する。導光板５の長側面へ入射した光は、導光板５の内部を伝播し、導光板５の前面から前方へ出射される。ＬＥＤ基板１１は、側面視がＬ字状をなすヒートスプレッダ１２のＬ字の短辺部に支持されている。
導光板５の後側には、導光板５の後側へ漏れた光を反射させる反射シート（不図示）が配置されている。導光板５から出射した光は、複数の光学シート３を通過し、表示パネル１を後側から照明する。表示パネル１が光の透過量を調整することにより、映像が前側に表示される。
【００２３】
反射シートの後側には、ＢＬシャーシ６が配置されている。ＢＬシャーシ６は表示パネル１側が開口された略箱状をなし、例えばアルミニウム等の金属製である。ＢＬシャーシ６の裏面に、前記チューナ１５、デコーダ１６、及びＣＰＵ等を備えるメイン基板（不図示）が設けられている。ヒートスプレッダ１２はＬ字の長辺部分がＢＬシャーシ６の内面に当接されて固定されている。ＢＬシャーシ６に光学シート３、導光板５、及び反射シートが収容されている。
【００２４】
ミドルシャーシ４は枠状をなし、導光板５の前面の周縁部を覆う周縁被覆部４１と、ヒートスプレッダ１２のＬ字の短辺部分を支持する支持部４２とを有する。周縁被覆部４１の前面の内側部分は光学シート３に当接する。背面の内側周縁部は緩衝部材４３を介し導光板５に当接している。
【００２５】
ベゼル２は枠状をなし、表示パネル１の周縁部を覆う周縁被覆部２１と、ＢＬシャーシ６の側部を覆う側部被覆部２２とを有する。周縁被覆部２１は緩衝部材２３を介しミドルシャーシ４との間で表示パネル１及び光学シート３を挟持し、側部被覆部２２はＢＬシャーシ６の側部にネジ止めされている（不図示）。これにより、表示パネル１、光学シート３、導光板５、及びＢＬシャーシ６が一体化されている。
【００２６】
図５に示すように、ミドルキャビネット７は枠状をなし、ＢＬシャーシ６の側部を覆う側部被覆部７ａと、表示部１８の下部を支持する表示部支持部７ｂと、前記飾り部７ｃとを有する。表示部支持部７ｂは側面視がＬ字状をなし、Ｌ字の長辺部分の背面にリアキャビネット１０が配されている（図４参照）。飾り部７ｃの裏面には、ハーネス及び基板等が設けられるように構成されており、中央部にはインジケータ部７０を有する。飾り部７ｂの裏側にはリアカバー１３が取り付けられている。
インジケータ部７０には後述する導光体８が取り付けられている。インジケータ部７０の孔７１に導光体８の第１導光部９３の柱体８１の前側部分が嵌合されている。
【００２７】
図６は、ミドルキャビネット７の飾り部７ｃのインジケータ部７０を裏側から見た状態を示す斜視図である。インジケータ部７０には、図６の左から順に、丸孔状の貫通孔７１及び貫通孔７２、並びに角孔状の貫通孔７３及び貫通孔７４が設けられている。貫通孔７１，７２，７３，７４の外側にはシール（不図示）が貼着される。貫通孔７１の周縁部の略三分の一の部分には突起部７５が、貫通孔７２側の周縁部の略三分の一の部分には突起部７６が設けられている。突起部７５と突起部７６とは対向している。
【００２８】
突起部７５と突起部７６との間には、遮光板７７が設けられている。遮光板７７は、側面視で表示部１８の表側の辺が裏側の辺より小さい台形状をなし、裏側の辺の内側寄りに小さい円柱状の突部７７ａが、該辺の中央部寄りに切り欠き７７ｂが設けられている。
貫通孔７２と貫通孔７３との間には、側面視が台形状をなす遮光板７８が設けられている。遮光板７８の裏側の辺の中央側寄りには切り欠き７８ａが設けられている。
貫通孔７３と貫通孔７４との間には、側面視が台形状をなす遮光板７９，８０が設けられている。遮光板７９の裏側の辺の内側寄りには段部７９ａが設けられている。遮光板８０の裏側の辺の内側寄りには小さい円柱状の突部８０ａが、該辺の中央部寄りには切り欠き８０ｂが設けられている。
【００２９】
図７は導光体８を示す正面図、図８は導光体８を示す裏面図、図９は導光体８を裏側から見た状態を示す斜視図、図１０は導光体８を示す側面図である。
導光体８は全体として横長の矩形状をなし、円柱状の柱体８１を有する第１導光部９３、及び円柱状の柱体８２を有する第２導光部９４、角板状をなす第３導光部８３、並びに角柱状をなす第４導光部８４を備える。
第１導光部９３及び第２導光部９４は、後述するＬＥＤ基板９に実装されたＬＥＤからの光を外部へ導き、例えば電源のオン／オフ、表示モード等をユーザに報知する。
上述のシールの一部は、例えば黒地にＴＶ受信機１００のブランドが切り抜かれており、例えばフルパワーモード等の特定の表示モードの場合に、第３導光部８３が発光することにより、ＴＶ受信機１００のブランドが表出するように構成されている。
第４導光部８４は、例えばＴＶ受信機１００の外部の光を、インジケータ部７０の裏側に配された明るさセンサ（不図示）へ導く。
柱体８１，８２の裏側の面、及び第４導光部８４の正面にはシボ加工が施されており、種々の角度から入った光が拡散された状態で進行するように構成されている。
【００３０】
柱体８１は角板状の基板部９０を貫通するように設けられ、柱体８２は角板状の基板部９１を貫通するように設けられている。基板部９０の柱体８１の貫通部分の周縁部の略三分の一の部分には、円弧孔８５が設けられている。同様に、基板部９１の柱体８２の貫通部分の周縁部の略三分の一の部分には、円弧孔８６が設けられている。円弧孔８５，８６は対向するように設けられている。
【００３１】
基板部９０と９１とは、第１接続部８７により接続されている。第１接続部８７は、基板部９０，９１夫々の、導光体８の短手方向の一端部寄りに垂直に設けられた脚部８７ａ，８７ａと、脚部８７ａ，８７ａを連結する連結部８７ｂとを有する。
【００３２】
基板部９１と第３導光部８３とは第２接続部８８により接続されている。
第２接続部８８は、基板部９１及び第３導光部８３の対向する端部に夫々垂直に設けられた脚部８８ａ，８８ａと、脚部８８ａ，８８ａを連結し、前記短手方向に切欠き８８ｂを有する連結部８８ｃと、連結部８８ｃの、切欠き８８ｂの終端部に設けられ、小さい角柱状をなす突起８８ｄとを備える。
【００３３】
第３導光部８３と第４導光部８４とは第３接続部８９により接続されている。
第３接続部８９は、第３導光部８３の端部に垂直に設けられた脚部８９ａと、脚部８９ａに垂直に設けられ、前記短手方向に切欠き８９ｂを有する連結部８９ｃと、連結部８９ｃに垂直に設けられ、側面視がＬ字状をなす脚部８９ｄと、脚部８９ｄと第４導光部８４とを連結する連結部８９ｅと、連結部８９ｅに設けられた柱状の突起部８９ｆとを備える。
【００３４】
図１１は、ＬＥＤ基板９を裏側から見た状態を示す斜視図である。
ＬＥＤ基板９には細長い矩形板状をなし、長手方向の両端部に、貫通孔９１，９２が設けられている。貫通孔９１，９２は上述した突部７７ａ，８０ａより少し大きい。ＬＥＤ基板９の表側にはＬＥＤが実装されている。
【００３５】
図１２は、導光体８をインジケータ部７０に嵌合した状態を示す斜視図である。
導光体８の円弧孔８５，８６にインジケータ部７０の突起部７５，７６を挿通し、切り欠き７７ｂに連結部８７ｂを嵌合し、切り欠き８８ｂに遮光板７８の内側部分を嵌合した状態で切り欠き７８ａに連結部８８ｃを嵌合し、切り欠き８９ｂに段部７９ａを嵌合した状態で切り欠き８０ｂに連結部８９ｅを嵌合する。そして、貫通孔７１，７２に柱体８１，柱体８２を、貫通孔７３，７４に第３導光部８３，第４導光部８４を嵌合する。
【００３６】
図１３はＬＥＤ基板９をインジケータ部７０に取り付けた状態を示す斜視図、図１４はＬＥＤ基板９をインジケータ部７０に取り付けた状態を示す裏面図、図１５は図１４のXV−XV線断面図である。
ＬＥＤ基板９の貫通孔９１，９２に突部７７ａ，８０ａを挿通した状態で、ＬＥＤ基板９がインジケータ部７０に取り付けられている。
【００３７】
図１５に示すように、本実施の形態に係るＴＶ受信機１００においては、遮光板７７，７８，７９，８０により、隣り合う導光部から漏れる光が混合することが抑制されており、インジケータ部７０の表示品位が良好である。そして、導光体８の円弧孔８５，８６にインジケータ部７０の突起部７５，７６を挿通させてあるので、柱体８１，８２の一方から漏れた光が他方に進行することがより抑制されている。
そして、光が混合することが抑制されているので、第４導光部８４が明るさセンサへ光を導くときに、明るさセンサの検出精度が良好であり、良好にバックライトユニットを制御して省電力が行われ得る。
【００３８】
導光体８においては、その一部が遮光板７７，７８，７９，８０に嵌合し、又は遮光板７７，７８，７９，８０に係止される状態で、隣り合う２つの導光部を接続する第１接続部８７，第２接続部８８，第３接続部８９を備えることにより、複数の導光部が一体化されている。従って、部品点数が減じ、金型が１つになり、部品コスト及び製造コストが低減し、ＴＶ受信機１００が安価に製造され得る。第１接続部８７，第２接続部８８，第３接続部８９は、２つの脚部を連結部により繋いだ簡単な構造を有し、この構造により光が迂回され、連結部８７ｂ，８８ｃ，８９ｃ，８９ｅが遮光板７７，７８，７９，８０に容易に嵌合され、又は係止される。
【００３９】
実施の形態２．
図１６は本発明の実施の形態２に係るＴＶ受信機のミドルキャビネット７のインジケータ部７０を示す斜視図、図１７は実施の形態２に係る導光体８を示す正面図である。
実施の形態１に係るインジケータ部７０と異なり、実施の形態２に係るインジケータ部７０の貫通孔７１，７２の周縁部には、円筒を周方向に略四分の三を切り欠いた形状をなす突起部７５，７６が設けられている。切欠きは突起部７５の遮光板７７と反対側の部分に、突起部７６の遮光板７８側の部分に夫々設けられている。
この突起部７５，７６に対応して、導光体８の柱体８１，柱体８２の周縁部には平面視が周方向に略四分の三を切り欠いたリング状をなす孔８５，８６が設けられている。
本実施の形態に係るインジケータ部７０に導光体８を取り付ける場合、孔８５，８６に突起部７５，７６を挿通するように取り付ける。
【００４０】
本実施の形態においては、柱体８１，柱体８２の側面の略四分の三の部分が突起部７５，７６により覆われているので、柱体８１，柱体８２夫々から発せられる光が互いにより良好に遮断される。
【００４１】
実施の形態３．
図１８は、本発明の実施の形態３に係るＴＶ受信機の導光体８を示す斜視図である。
実施の形態３に係る導光体８の第２接続部８８の脚部８８ａの第３導光部８３側の面、及び第３接続部８９の脚部８９ａの第３導光部８３側の面にはともにシボ加工が施されている。
【００４２】
脚部８８ａ，８９ａの面にシボ加工が施されていない場合においても、脚部８８ａ，８９ａが存在しない場合と比較して、第３導光部８３からの光が第２導光部９４，第４導光部８４へ進行することが抑制されているが、シボ加工が施されることで、光がシボ加工面で拡散し、柱体８２，第３導光部８４側へ進行する光の量がより減じる。
【００４３】
実施の形態４．
図１９は実施の形態４に係る導光体８を示す斜視図、図２０は実施の形態４に係る導光体８をインジケータ部７０に取り付けた状態を示す斜視図である。
実施の形態４に係る導光体８の第１接続部８７においては、一方の脚部８７ａは基板部９０の短手方向の一端部に設けられ、他方の脚部８７ａは基板部９１の短手方向の他端部に設けられ、両脚部８７ａが連結部８７ｂにより連結されている。そして、各脚部８７ａが遮光板７７に当接し、連結部８７ｂが遮光板７７の辺に沿うようにして、導光体８がインジケータ部７０に取り付けられている。
【００４４】
本実施の形態においては、光の進路をより迂回させることができる。
【００４５】
実施の形態５．
図２１は実施の形態５に係る導光体８を示す斜視図、図２２は実施の形態５に係る導光体８をインジケータ部７０に取り付けた状態を示す斜視図である。
実施の形態５に係る導光体８の第１接続部８７においては、連結部８７ｂは逆コの字状をなしている。そして、連結部８７ｂのコの字の内側に遮光板７８が嵌まるように、導光体８をインジケータ部７０に取り付けられている。
【００４６】
本実施の形態においては、光の進路をより迂回させることができる。
【００４７】
以上のように構成された本発明の表示装置（１００）は、前側に表示面を有する表示部（１８）と、２以上の導光部（９３、９４、８３、８４）とを備える表示装置において、隣り合う２つの導光部間に介在する遮光体（７７、７８、７９、８０）と、一部が前記遮光体に嵌合し、又は該遮光体に係止する状態で、前記隣り合う２つの導光部を接続する接続部（８７、８８、８９）とを備えることを特徴とする。
【００４８】
本発明においては、遮光体により、隣り合う導光部から漏れる光が混合することが抑制され、表示品位が良好である。
そして、導光部がセンサに光を導く場合においては混色が抑制され、センサの検出精度が良好である。
しかも、一部が遮光体に嵌合し、又は遮光体に係止する状態で、隣り合う２つの導光部を接続する接続部を備えるので、複数の導光部が一体化される。従って、部品点数が減じ、金型が１つになり、部品コスト及び製造コストが低減し、表示装置が安価に製造される。
【００４９】
本発明の表示装置は、前記表示部の一側面に沿って配される飾り板部（７ｃ）を備え、前記導光部（９３、９４）は、基板部（９０、９１）、及び該基板部に貫通させた導光柱状体（８１、８２）を有し、前記遮光体は前記飾り板部に設けられ、前記飾り板部は、前記導光柱状体の端面が嵌合される嵌合孔（７１、７２）と、前記嵌合孔の周縁に沿うように設けられた突起部と（７５、７６）を有し、前記基板部は前記導光柱状体の周縁に、前記突起部を挿通する挿通孔（８５、８６）を有することを特徴とする。
【００５０】
本発明においては、隣り合う導光部間に、容易に遮光体を配することができる。
また、飾り板部の嵌合孔に導光柱状体を嵌合したときに、基板の挿通孔に飾り板部の突起部が挿通されるので、導光柱状体から漏れた光が他の導光柱状体に進行することがより抑制されている。
【００５１】
本発明の表示装置は、前記表示部の一側面に沿って配される飾り板部（７ｃ）を備え、前記導光部（８３、８４）は角板状をなし、前記遮光体は前記飾り板部に設けられ、前記飾り板部は、前記導光部が嵌合される嵌合孔（７３、７４）を有することを特徴とする。
【００５２】
本発明においては、隣り合う導光部間に、容易に遮光体を配することができる。
そして、角板状の導光部の両端部に遮光体を配することで、光の漏れが確実に抑制される。
【００５３】
本発明の表示装置は、前記接続部（８７、８８、８９）は、前記隣り合う２つの導光部に対し略垂直に設けられた脚部（８７ａ、８８ａ、８９ａ、８９ｄ）と、各脚部を連結する連結部（８７ｂ、８８ｃ、８９ｃ、８９ｅ）とを有し、前記連結部が前記遮光体に嵌合し、又は該遮光体に係止されることを特徴とする。
【００５４】
本発明においては、簡単な構造で光を迂回させることができ、接続部の一部である連結部を遮光体に嵌合し、又は係止させることができる。
【００５５】
本発明の表示装置は、前記脚部（８８ａ、８９ａ）の前記導光部（８３）側の面にシボ加工を施してあることを特徴とする。
【００５６】
本発明においては、シボ加工を施してある面により光を前記導光部側へ拡散させ、隣接する導光部に光が漏れることが抑制される。
【００５７】
本発明のテレビジョン受信機（１００）は、上述のいずれかの表示装置と、テレビジョン放送を受信する受信部（１５）とを備え、前記受信部にて受信したテレビジョン放送に基づいて、前記表示装置に映像を表示するようにしてあることを特徴とする。
【００５８】
本発明においては、導光部が設けられている部分で、光が混ざって表示品位が悪くなることが抑制されている。
また、導光部が設けられている部分で光が混合することが抑制されているので、該導光部を介しセンサに光が導かれる場合に、センサの検出精度が良好であり、例えばセンサが明るさセンサであるとき、良好にバックライトユニットを制御して省電力が行われる。
【００５９】
本発明は上述した実施の形態の内容に限定されるものではなく、請求項に示した範囲で種々の変更が可能である。すなわち、請求項に示した範囲で適宜変更した技術的手段を組み合わせて得られる実施形態も本発明の技術的範囲に含まれる。
例えば表示装置は、液晶表示装置に限定されるものではなく、ＴＶ受信機は液晶ＴＶ受信機に限定されるものではない。
【符号の説明】
【００６０】
１  表示パネル
２  ベゼル
３  光学シート
４  ミドルシャーシ
５  導光板
６  ＢＬシャーシ
７  ミドルキャビネット
７ａ  側部被覆部
７ｂ  表示部支持部
７ｃ  飾り部
７０  インジケータ部
７１、７２、７３、７４  貫通孔
７５、７６  突起部
７７、７８、７９、８０  遮光板
７７ａ、８０ａ  突部
８  導光体
８１、８２  柱体
９０、９１  基板部
９３  第１導光部
９４  第２導光部
８３  第３導光部
８４  第４導光部
８５、８６  円弧孔
８７  第１接続部
８７ａ、８８ａ、８９ａ、８９ｄ  脚部
８７ｂ、８８ｃ、８９ｃ、８９ｅ  連結部
８８  第２接続部
８９  第３接続部
９  ＬＥＤ基板
９１、９２  貫通孔
１０  リアキャビネット
１１  ＬＥＤ基板
１２  ヒートスプレッダ
１５  チューナ
１６  デコーダ
１７  スタンド
１００  ＴＶ受信機
【図１】
2016208473.tif 000003
【図２】
2016208473.tif 000004
【図３】
2016208473.tif 000005
【図４】
2016208473.tif 000006
【図５】
2016208473.tif 000007
【図６】
2016208473.tif 000008
【図７】
2016208473.tif 000009
【図８】
2016208473.tif 000010
【図９】
2016208473.tif 000011
【図１０】
2016208473.tif 000012
【図１１】
2016208473.tif 000013
【図１２】
2016208473.tif 000014
【図１３】
2016208473.tif 000015
【図１４】
2016208473.tif 000016
【図１５】
2016208473.tif 000017
【図１６】
2016208473.tif 000018
【図１７】
2016208473.tif 000019
【図１８】
2016208473.tif 000020
【図１９】
2016208473.tif 000021
【図２０】
2016208473.tif 000022
【図２１】
2016208473.tif 000023
【図２２】
2016208473.tif 000024